(57)【要約】【課題】いつでも携帯端末に充電することができる携帯端末用ケースを提供する。【解決手段】上部が開放され携帯端末を着脱可能とし、且つ該携帯端末を操作可能なケース本体と、該ケース本体内の一端側に設置され、前記携帯端末と接続するコネクタと、該コネクタを介して前記携帯端末に電力を供給可能な二次電池と、該二次電池を充電する太陽電池と、前記二次電池内の充電量を表示する複数の表示部と、該二次電池から前記携帯端末への電力移動を調節する開閉器とから構成され、該太陽電池は前記ケース本体の裏面に固着されて太陽光を受光して発電し、前記二次電池を充電すると共に、前記表示部は前記ケース本体の側端面の視認可能位置に配置され該二次電池内の充電量を表示して携帯端末への電力供給状況を表示し、前記携帯端末内の電力残量に従って前記開閉器の操作によって前記二次電池内の電力を供給可能とする。【選択図】        図１
2010110195.tif 000002
【特許請求の範囲】
【請求項１】
太陽電池を搭載した携帯端末用ケースであって、上部が開放され携帯端末を着脱可能とし、且つ該携帯端末を操作可能なケース本体と、該ケース本体内の一端側に設置され、前記携帯端末と接続するコネクタと、該コネクタを介して前記携帯端末に電力を供給可能な二次電池と、該二次電池を充電する太陽電池と、前記二次電池内の充電量を表示する複数の表示部と、該二次電池から前記携帯端末への電力移動を調節する開閉器とから構成され、該太陽電池は前記ケース本体の裏面に固着されて太陽光を受光して発電し、前記二次電池を充電すると共に、前記表示部は前記ケース本体の側端面の視認可能位置に配置され該二次電池内の充電量を表示して携帯端末への電力供給状況を表示し、前記携帯端末内の電力残量に従って前記開閉器の操作によって前記二次電池内の電力を供給可能とすることを特徴とする携帯端末用ケース。
【請求項２】
前記表示部は、二次電池内の充電量を複数の段階パーセントで表示するＬＥＤであることを特徴とする請求項１記載の携帯端末用ケース。
【請求項３】
前記開閉器は、ＯＦＦ操作時は太陽電池から二次電池内の充電を許可し、ＯＮ操作時には二次電池から携帯端末への電力供給を許可することを特徴とする請求項１記載の携帯端末用ケース。
【発明の詳細な説明】
【技術分野】
【０００１】
本発明は、携帯端末用ケースに関し、とくに充電機能を持った携帯端末用ケースに関する。
【背景技術】
【０００２】
近年、携帯電話を初めとするモバイル型の携帯端末が広く普及しており、長時間利用が可能な二次電池を搭載して様々な場所において利用可能となっている。
【０００３】
しかし、二次電池は電力が消費される度に充電器による充電を必要とするため、予備の二次電池を携帯するか、充電器本体を携帯する必要があった。
【０００４】
そこで、移動中においても、太陽電池により携帯電話のバッテリを充分に充電し得る携帯電話用太陽電池付キャリングケースも提案されている（特許文献１参照。）。
【０００５】
また、携帯無線端末を収容保持するケース本体に電源供給手段を設け、ケース本体に収容された形態無線端末と電源供給手段とを互いに接続するコネクターを設けた携帯無線端末用ケースもある（特許文献２参照。）。
【先行技術文献】
【特許文献】
【０００６】
【特許文献１】特開２０００−１７５７２０号公報
【特許文献２】特開平１０−１４６２１３号公報
【発明の概要】
【発明が解決しようとする課題】
【０００７】
しかしながら、上記特許文献１の携帯電話用太陽電池付キャリングケースは、携帯電話を装着して太陽電池から直接携帯電話を充電するものであり、携帯電話を装着した際の天候などによって充電時間が一定しないとう問題があった。また、上記特許文献２に記載された携帯無線端末用ケースは、太陽電池と二次電池との組合せによって携帯無線端末を充電するものであるが、携帯無線端末をケース本体に収容した状態での使用に関しては何らの考慮もされていないものであった。
【０００８】
本発明は、上記従来の問題点に鑑みなされたもので、携帯端末を装着自在に保持し、且つ該携帯端末を保持した状態で操作を可能とし、またケース本体の裏面の固着された太陽電池と、ケース本体内に設置された二次電池と、コネクターによっていつでも携帯端末に充電することができる携帯端末用ケースを提供するものである。
【課題を解決するための手段】
【０００９】
このため本発明の携帯端末用ケースは、上部が開放され携帯端末を着脱可能とし、且つ該携帯端末を操作可能なケース本体と、該ケース本体内の一端側に設置され、前記携帯端末と接続するコネクタと、該コネクタを介して前記携帯端末に電力を供給可能な二次電池と、該二次電池を充電する太陽電池と、前記二次電池内の充電量を表示する複数の表示部と、該二次電池から前記携帯端末への電力移動を調節する開閉器とから構成され、該太陽電池は前記ケース本体の裏面に固着されて太陽光を受光して発電し、前記二次電池を充電すると共に、前記表示部は前記ケース本体の側端面の視認可能位置に配置され該二次電池内の充電量を表示して携帯端末への電力供給状況を表示し、前記携帯端末内の電力残量に従って前記開閉器の操作によって前記二次電池内の電力を供給可能とすることを第一の特徴とする。
【００１０】
また、前記表示部は、二次電池内の充電量を複数の段階パーセントで表示するＬＥＤであることを第二の特徴とする。
【００１１】
そして、前記開閉器は、ＯＦＦ操作時は太陽電池から二次電池内への充電を許可し、ＯＮ操作時には二次電池から携帯端末への電力供給を許可することを第三の特徴とする。
【発明の効果】
【００１２】
本発明に係る携帯端末用ケースによれば、ケース本体の裏面に固着された太陽電池によって発電して、開閉器のＯＦＦ操作によって二次電池に充電するとができ、その充電量をケース本体の側端面の視認可能位置に配置された表示部によって確認できるという優れた効果を有する。
【００１３】
また、携帯端末を充電する際には、該携帯端末をケース本体の上部開放側から挿入し、ケース本体内の一端側に設置されたコネクターと携帯端末を接続し、開閉器のＯＮ操作によって、ケース内の二次電池から携帯端末に電力を供給することができるという効果を有する。
【００１４】
しかも、携帯端末をケース本体に挿入した状態で、ケース本体の上部開放側から操作できるという優れた効果を有する。
【図面の簡単な説明】
【００１５】
【図１】本発明の携帯端末用ケースを示す正面説明図である。
【図２】図１の裏面図である。
【図３】図１の側面説明図である。
【図４】携帯端末用ケースの内部構造を示す説明図である。
【図５】携帯端末用ケース内の接続説明図である。
【発明を実施するための形態】
【００１６】
以下、本発明を実施するための最良の形態を図面に示す実施例に基づいて説明するが、本発明が本実施例に限定されないことは言うまでもない。図１は本発明に係る携帯端末用ケースを示す平面説明図、図２は図１の裏面図、図３は図１の側面説明図、図４は本発明に係る携帯端末用ケースの内部構造を示す説明図、図５は携帯端末用ケース内の接続説明図である。
【実施例】
【００１７】
図１乃至図４は本発明の携帯端末用ケース１を示しており、図１は平面説明図、図２は裏面図、図３は側面図、図４は内部構造を示す説明図を示している。図に示すように、本発明の携帯端末用ケース１は上部が開放された柔軟性を有する合成樹脂製の筐体２からなり、携帯端末３を挿入して保持可能に形成されている。
【００１８】
筐体２の内部には、リチウムポリマーからなる二次電池（図示せず）が配置され、この二次電池と接続するコネクタ４が筐体２内部の一端側から突設して配置されており、携帯端末３受電部と接続可能とされている。
【００１９】
図２に示すように、筐体２の裏面中央には太陽電池５が固着されており、太陽光を受光して発電可能とされ、上述した二次電池と接続して充電を行なう。
【００２０】
図３は筐体２の一端側の側面を示しており、開閉器６と充電量を表示するＬＥＤ表示器７とが樹脂製の筐体８に配置され、側面方向から視認可能とされている。このＬＥＤ表示器７と開閉器６は、太陽電池５と二次電池との間に接続されており、ＬＥＤ表示器７は２５％、５０％、１００％の３段階の表示を可能とし、それぞれ二次電池に充電された電力量を表示する。そして、開閉器６はＯＮ、ＯＦＦの操作によって太陽電池５から二次電池への充電操作を制御すると共に、後述する携帯端末３への充電操作を制御する。
【００２１】
図５は、携帯端末用ケース１内の接続図を示しており、上述した太陽電池３と、リチウムポリマーからなる二次電池８と、コネクター４とが、筐体２に配置された３個のＬＥＤ表示器７、開閉器６を介して接続されている。また、この筐体２の一端側から外部電源供給用ＵＳＢ端子９が設けられており、外部パーソナルコンピュータ(図示せず）からの電力供給を可能としている。
【００２２】
この構成において、太陽電池５によって太陽光を受光して発電すると、ケーブル１０によって通電し、開閉器６のＯＦＦ操作によって二次電池８に充電される。この際、二次電池９に充電された電力量はＬＥＤ表示器７によって３段階に表示される。
【００２３】
次に、携帯端末３を携帯端末用ケース１に挿入して利用する方法を説明する。尚、携帯端末３として携帯電話を例とする。
【００２４】
まず、筐体２の上部開口から携帯端末３を挿入する。この際、携帯端末の操作面を上向きとし、接続用端子部は上記コネクター４とが当接する方向にあわせて差込む。尚、筐体２は弾力性を有する合成樹脂製であり、携帯端末３より小さめの開口であっても容易に挿入することが可能であり、また外れる虞もない。この状態でＬＥＤ表示６の表示を確認して、開閉器６をＯＮに操作すると、充電された電力量が１００％表示の場合には約３時間で携帯端末２が充電できる。尚、本実施例においては携帯端末として携帯電話を例として説明したが、市場に流通している携帯が可能なゲーム、コンピュータなども当然含まれる。
【００２５】
以上、本発明による携帯端末用ケースによれば、ケース本体の裏面に固着された太陽電池によって発電して、開閉器のＯＦＦ操作によって二次電池に充電するとができ、その充電量をケース本体の側端面の視認可能位置に配置された表示部によって確認できる。さらに、携帯端末をケース本体に挿入した状態で、ケース本体の上部開放側から操作することができる。
【符号の説明】
【００２６】
１        携帯端末用ケース
２        筐体
３        携帯端末
４        コネクター
５        太陽電池
６        開閉器
７        ＬＥＤ表示器
８        二次電池
９        ＵＳＢ端子
１０        ケーブル
【図１】
2010110195.tif 000003
【図２】
2010110195.tif 000004
【図３】
2010110195.tif 000005
【図４】
2010110195.tif 000006
【図５】
2010110195.tif 000007